(57)【特許請求の範囲】
【請求項１】
紫外光を発光する複数の固体光源と、回転軸の周りに回転可能であって、紫外光を照射すると互いに異なった色の蛍光を発光する複数の蛍光体領域を有する蛍光回転体とを備え、前記複数の固体光源からの紫外光が、同時に、互いに異なった色の蛍光を発光する複数の全ての蛍光体領域を照射するように前記複数の固体光源が配置され、前記複数の固体光源の光軸と前記蛍光回転体との交点の前記蛍光回転体の回転軸からの距離が、前記複数の固体光源ごとに異なっていることを特徴とする光源装置。
【請求項２】
可視光を発光する複数の固体光源と、該固体光源により励起され該固体光源の発光波長よりも長波長の蛍光を発光する少なくとも１つの蛍光体領域と、蛍光体が配置されていない非蛍光体領域とを、互いに分割された領域として有し、回転軸の周りに回転可能な蛍光回転体とを備え、前記複数の固体光源からの光が、前記蛍光体領域および前記非蛍光体領域の全ての領域を同時に照射するように前記複数の固体光源が配置され、前記複数の固体光源の光軸と前記蛍光回転体との交点の前記蛍光回転体の回転軸からの距離が、前記複数の固体光源ごとに異なっていることを特徴とする光源装置。
【請求項３】
前記蛍光回転体が透過型蛍光回転体である場合に、前記蛍光回転体の前記蛍光体領域は、蛍光体層と、該蛍光体層が配置される透明な基板と、該透明な基板の前記蛍光体層よりも前記固体光源側に配置され、前記固体光源が発する光を透過し前記蛍光体層が発する光を反射する光学手段とを有していることを特徴とする請求項１または請求項２に記載の光源装置。
【請求項４】
前記蛍光回転体が反射型蛍光回転体である場合に、前記蛍光回転体の前記蛍光体層が配置される基板には、反射面が設けられていることを特徴とする請求項１乃至請求項３のいずれか一項に記載の光源装置。
【請求項５】
請求項１乃至請求項４のいずれか一項に記載の光源装置が用いられていることを特徴とする照明装置。
【発明の詳細な説明】
【技術分野】
【０００１】
本発明は、光源装置および照明装置に関する。
【背景技術】
【０００２】
近年、ＬＥＤ等の固体光源を用いた照明装置が用いられており、その１つとして、青色光を出射する固体光源と蛍光体とを組み合わせて（固体光源からの青色光を蛍光体に照射して）、白色光を実現した照明光源が開発されている（特許文献１）。しかし、蛍光体の熱劣化が問題となる大光量光源においては、冷却について考慮する必要がある。
【０００３】
これに対し、主にプロジェクターの光源として、例えば特許文献２に示すような蛍光体を所定の領域に配置した円盤状回転体（以下、蛍光回転体と称す）を利用した光源装置が開発されている。図１には、この種の蛍光回転体９１が示されている。図１を参照すると、蛍光回転体９１は、透明な基板（例えば石英ガラス基板）上に紫外光を照射すると赤色または緑色または青色の蛍光を発光するそれぞれの蛍光体層９２ａ，９２ｂ，９２ｃが３つの分割された領域として配置されており、蛍光回転体９１の回転軸（回転中心）を通って半径方向に延びる直線９３ａ，９３ｂ，９３ｃにより３色の蛍光体層９２ａ，９２ｂ，９２ｃの面積がほぼ等しくなるように分割配置されている。
【０００４】
図２は図１の蛍光回転体９１を用いた光源装置を示す図である。図２を参照すると、この光源装置は、図１の蛍光回転体９１をモーター９４で回転させ、固体光源（例えばレーザーダイオード光源）９５の前に配置することにより、光源９５の光軸上で励起された各蛍光体層９２ａ，９２ｂ，９２ｃが各々の色で順次発光することになる。すなわち、赤緑青の光が順次発光することになるが、発光周期が早くなると、つまり蛍光回転体の回転数を上げると（例えば３６００ｒｐｍにすると）、それぞれの発光色を認識できなくなり白色光として視認できるようになる。
【０００５】
特許文献２の光源装置では、蛍光回転体を用いていることで（蛍光回転体が回転することで）、蛍光体の熱劣化が問題となる大光量光源においても、冷却効果に優れた光源装置を提供できる。さらに、蛍光回転体を用いたこの種の光源装置において、大光量の光源を実現するために、複数の光源を用いることが考えられる。
【０００６】
複数の光源を用いる場合に、具体的には、複数の光源の光軸を揃えて蛍光回転体の１点を照射する仕方や、特許文献３に示されているように２つの光源で蛍光回転体の２つの場所を照射する仕方が考えられる。
【０００７】
図３は特許文献３に開示された仕方を説明するための図である。図３を参照すると、特許文献３に開示の光源装置は、蛍光回転体として、赤緑青の一組の蛍光体層１０２ａ，１０２ｂ，１０２ｃを光源の数（２つ）だけ繰り返し配置した蛍光回転体１０１を用い、蛍光回転体１０１の直径上の回転軸Ｘ（回転中心）を挟んで両サイドに光源１０３ａ，１０３ｂをそれぞれ配置したものとなっている。
【０００８】
大光量を得るために複数の光源の光軸を揃えて蛍光回転体の１点を照射する場合には、冷却効果に優れた蛍光回転体とはいえ、限界があることは否めない。これに対し、図３の光源装置では、２つの光源１０３ａ，１０３ｂで蛍光回転体１０１の２つの場所を照射するので、冷却効果にとっては有利である。
【先行技術文献】
【特許文献】
【０００９】
【特許文献１】特開２００１−１４８５１２号公報
【特許文献２】特開２００４−３４１１０５号公報
【特許文献３】特開２００４−３１７５２８号公報
【発明の概要】
【発明が解決しようとする課題】
【００１０】
しかしながら、図３の構成では、２つ（複数）の光源１０３ａ，１０３ｂを用いているものの、２つの光源１０３ａ，１０３ｂからの光が、同時に、同じ色の蛍光を発光する蛍光体層しか照射しないので、蛍光回転体の回転に伴って、発光色が時間的に変化し、いわゆるカラーブレイク現象が生じてしまう。
【００１１】
カラーブレイク現象は本来白色として観察されるはずの赤緑青の順次発光の個々の色が瞬間的に視認されてしまう現象をいう。例えば図３に示す蛍光回転体１０１を回転数１８００ｒｐｍで駆動すれば、赤緑青の順次発光を一周期とした場合に６０Ｈｚでこの順次発光を繰り返すことになり、明るい室内で普通に観察する限りはカラーブレイク現象は生じることはないが、暗い部屋で観察する場合や光源もしくは照明場所から急に目をそむけた時などにカラーブレイク現象が生じてしまう。
【００１２】
蛍光回転体の回転速度を早くして順次発光の繰返し周期を短くすれば、ある程度はカラーブレイク現象が起き難くなるが、回転数上昇によるモーター音の増大など別の要因で人を不愉快にさせてしまう。
【００１３】
このような問題を回避するため、本願の発明者は、本願の先願である特願２００９−２７８１８７（以下、先願と称す）において、複数の光源で蛍光回転体の複数の場所を照射して大光量を得るときに、モーター音の増大などを生じさせるほど蛍光回転体の回転速度を早くすることなく、カラーブレイク現象を防止することの可能な光源装置および照明装置を案出した。
【００１４】
すなわち、本願の先願では、例えば図４に示すように（なお、図４では、図１、図２と同様の箇所には同じ符号を付している）、複数の固体光源９５ａ，９５ｂ，９５ｃで蛍光回転体９１の複数の場所を照射して大光量を得るのに、複数の固体光源９５ａ，９５ｂ，９５ｃからの光が、同時に、互いに異なった色の蛍光を発光する複数の蛍光体領域９２ａ，９２ｂ，９２ｃを照射するように複数の固体光源９５ａ，９５ｂ，９５ｃが配置され、これにより、複数の光源で蛍光回転体の複数の場所を照射して大光量を得るときに、モーター音の増大などを生じさせるほど蛍光回転体の回転速度を早くすることなく、カラーブレイク現象を防止することができる。
【００１５】
しかしながら、この場合、複数の固体光源９５ａ，９５ｂ，９５ｃの光軸と蛍光回転体９１との交点の蛍光回転体９１の回転軸Ｘからの距離が、複数の固体光源９５ａ，９５ｂ，９５ｃで同じであるときには（概略的に、例えば図４に示すように、複数の固体光源９５ａ，９５ｂ，９５ｃが蛍光回転体９１の回転軸Ｘから同じ距離に配置されているときには）、複数の固体光源９５ａ，９５ｂ，９５ｃからの光は、蛍光回転体９１の１つの同心円上の部分（蛍光回転体９１の同一半径の同心円上の部分）を照射し続けることになり、その部分の蛍光体の劣化を招いてしまう。
【００１６】
本発明は、複数の光源で蛍光回転体の複数の場所を照射して大光量を得るときに、モーター音の増大などを生じさせるほど蛍光回転体の回転速度を早くすることなく、カラーブレイク現象を防止することが可能であって、さらにこの場合にも、蛍光回転体の蛍光体の劣化を少なくすることの可能な光源装置および照明装置を提供することを目的としている。
【課題を解決するための手段】
【００１７】
上記目的を達成するために、請求項１記載の発明は、紫外光を発光する複数の固体光源と、回転軸の周りに回転可能であって、紫外光を照射すると互いに異なった色の蛍光を発光する複数の蛍光体領域を有する蛍光回転体とを備え、前記複数の固体光源からの紫外光が、同時に、互いに異なった色の蛍光を発光する複数の全ての蛍光体領域を照射するように前記複数の固体光源が配置され、前記複数の固体光源の光軸と前記蛍光回転体との交点の前記蛍光回転体の回転軸からの距離が、前記複数の固体光源ごとに異なっていることを特徴とする光源装置である。
【００１９】
また、請求項２記載の発明は、可視光を発光する複数の固体光源と、該固体光源により励起され該固体光源の発光波長よりも長波長の蛍光を発光する少なくとも１つの蛍光体領域と、蛍光体が配置されていない非蛍光体領域とを、互いに分割された領域として有し、回転軸の周りに回転可能な蛍光回転体とを備え、前記複数の固体光源からの光が、前記蛍光体領域および前記非蛍光体領域の全ての領域を同時に照射するように前記複数の固体光源が配置され、前記複数の固体光源の光軸と前記蛍光回転体との交点の前記蛍光回転体の回転軸からの距離が、前記複数の固体光源ごとに異なっていることを特徴とする光源装置である。
【００２１】
また、請求項３記載の発明は、前記蛍光回転体が透過型蛍光回転体である場合に、前記蛍光回転体の前記蛍光体領域は、蛍光体層と、該蛍光体層が配置される透明な基板と、該透明な基板の前記蛍光体層よりも前記固体光源側に配置され、前記固体光源が発する光を透過し前記蛍光体層が発する光を反射する光学手段とを有していることを特徴とする請求項１または請求項２に記載の光源装置である。
【００２２】
また、請求項４記載の発明は、前記蛍光回転体が反射型蛍光回転体である場合に、前記蛍光回転体の前記蛍光体層が配置される基板には、反射面が設けられていることを特徴とする請求項１乃至請求項３のいずれか一項に記載の光源装置である。 
【００２３】
また、請求項５記載の発明は、請求項１乃至請求項４のいずれか一項に記載の光源装置が用いられていることを特徴とする照明装置である。
【発明の効果】
【００２４】
請求項１、請求項３乃至請求項５記載の発明によれば、紫外光を発光する複数の固体光源と、回転軸の周りに回転可能であって、紫外光を照射すると互いに異なった色の蛍光を発光する複数の蛍光体領域を有する蛍光回転体とを備え、前記複数の固体光源からの紫外光が、同時に、互いに異なった色の蛍光を発光する複数の全ての蛍光体領域を照射するように前記複数の固体光源が配置され、前記複数の固体光源の光軸と前記蛍光回転体との交点の前記蛍光回転体の回転軸からの距離が、前記複数の固体光源ごとに異なっているので、複数の光源で蛍光回転体の複数の場所を照射して大光量を得るときに、モーター音の増大などを生じさせるほど蛍光回転体の回転速度を早くすることなく、カラーブレイク現象を防止することが可能であって、さらにこの場合にも、蛍光回転体の蛍光体の劣化を少なくすることの可能な光源装置および照明装置を提供することができる。
【００２５】
また、請求項２乃至請求項５記載の発明によれば、可視光を発光する複数の固体光源と、該固体光源により励起され該固体光源の発光波長よりも長波長の蛍光を発光する少なくとも１つの蛍光体領域と、蛍光体が配置されていない非蛍光体領域とを、互いに分割された領域として有し、回転軸の周りに回転可能な蛍光回転体とを備え、前記複数の固体光源からの光が、前記蛍光体領域および前記非蛍光体領域の全ての領域を同時に照射するように前記複数の固体光源が配置され、前記複数の固体光源の光軸と前記蛍光回転体との交点の前記蛍光回転体の回転軸からの距離が、前記複数の固体光源ごとに異なっているので、複数の光源で蛍光回転体の複数の場所を照射して大光量を得るときに、モーター音の増大などを生じさせるほど蛍光回転体の回転速度を早くすることなく、カラーブレイク現象を防止することが可能であって、さらにこの場合にも、蛍光回転体の蛍光体の劣化を少なくすることの可能な光源装置および照明装置を提供することができる。
【００２６】
特に、請求項３、請求項４記載の発明では、透過型蛍光回転体においては、蛍光回転体の蛍光体層より固体光源側に、固体光源が発する光を透過し前記蛍光体層が発する光を反射する光学手段（バンドパスフィルター）を設けることにより、また、反射型蛍光回転体においては、蛍光回転体の蛍光体層を配置する基板上に反射面を形成したりすることにより、効率の高い光源装置および照明装置を提供することができる。
【図面の簡単な説明】
【００２７】
【図１】従来の蛍光回転体を示す図である。
【図２】図１の蛍光回転体を用いた光源装置を示す図である。
【図３】特許文献３に開示された仕方を説明するための図である。
【図４】本願の先願の光源装置を説明するための図である。
【図５】本発明の第１の実施形態の光源装置の一構成例を示す図である。
【図６】図５の光源装置に用いられる蛍光回転体の一例を示す図である。
【図７】図６のＢ−Ｂ線における断面図である。
【図８】本発明の第１の実施形態の光源装置の他の構成例を示す図である。
【図９】反射型蛍光回転体の断面図である。
【図１０】本発明の第１の実施形態の光源装置の他の構成例を示す図である。
【図１１】図１０の光源装置に用いられる蛍光回転体の一例を示す図である。
【図１２】本発明の第１の実施形態の光源装置の他の構成例を示す図である。
【図１３】本発明の第１の実施形態の光源装置の他の構成例を示す図である。
【図１４】本発明の第２の実施形態の光源装置の一構成例を示す図である。
【図１５】図１４の光源装置に用いられる蛍光回転体の一例を示す図である。
【図１６】図１５のＣ−Ｃ線における断面図である。
【図１７】本発明の第２の実施形態の光源装置の他の構成例を示す図である。
【図１８】反射型蛍光回転体の断面図である。
【図１９】本発明の第２の実施形態の光源装置の他の構成例を示す図である。
【図２０】図１９の光源装置に用いられる蛍光回転体の一例を示す図である。
【図２１】本発明の第２の実施形態の光源装置の他の構成例を示す図である。
【図２２】蛍光回転体の他の構成例を示す図である。
【図２３】本発明の第２の実施形態の光源装置の他の構成例を示す図である。
【図２４】本発明の第２の実施形態の光源装置の他の構成例を示す図である。
【図２５】図２３、図２４の光源装置に用いられる蛍光回転体の一例を示す図である。
【図２６】図２５の蛍光回転体が透過型蛍光回転体である場合の断面図である。
【図２７】図２５の蛍光回転体が反射型蛍光回転体である場合の断面図である。
【図２８】本発明の第２の実施形態の光源装置の他の構成例を示す図である。
【図２９】図２８の光源装置に用いられる蛍光回転体の一例を示す図である。
【図３０】第１、第２の実施態様で示した光源装置を用いた照明装置の一構成例を示す図である。
【図３１】第１、第２の実施態様で示した光源装置を用いた照明装置の他の構成例を示す図である。
【発明を実施するための最良の形態】
【００２８】
以下、本発明の実施形態を図面に基づいて説明する。
【００２９】
本発明の第１の実施形態は、紫外光を発光する複数の固体光源と、回転軸の周りに回転可能であって、紫外光を照射すると互いに異なった色の蛍光を発光する複数の蛍光体領域を有する蛍光回転体とを備え、前記複数の固体光源からの紫外光が、同時に、互いに異なった色の蛍光を発光する複数の蛍光体領域を照射するように前記複数の固体光源が配置され、前記複数の固体光源の光軸と前記蛍光回転体との交点の前記蛍光回転体の回転軸からの距離が、前記複数の固体光源ごとに異なっていることを特徴としている。
【００３０】
より好適には、前記複数の固体光源からの紫外光が、同時に、互いに異なった色の蛍光を発光する複数の全ての蛍光体領域を照射することを特徴としている。
【００３１】
なお、上記蛍光体領域とは、蛍光体層を有する領域であって、後述のように、蛍光体層に対応させて、バンドパスフィルターや調整層などが設けられる場合には、蛍光体層とともに、これらをも含めたものを指すものとする。以下では、便宜上、蛍光体層とこれに対応する蛍光体領域には、同じ符号を付している。
【００３２】
図５は、本発明の第１の実施形態の光源装置の一構成例を示す図（概略正面図）である。図５を参照すると、この光源装置１０は、紫外光を出射する３つの固体光源５ａ，５ｂ，５ｃと、回転軸Ｘの周りに回転可能な（モーター４によって回転する）蛍光回転体１とを備えている。図６は、図５の光源装置１０に用いられる蛍光回転体１の一例を示す図（平面図）である（なお、図６には、固体光源５ａ，５ｂ，５ｃの位置も図示されている）。図６の例では、蛍光回転体１は、図１、図４と同様のものとなっており、透明な基板（例えば石英ガラス基板）上に、紫外光を照射すると赤色、緑色、青色の蛍光をそれぞれ発光する蛍光体層２ａ，２ｂ，２ｃが３つの分割された領域（３等分された領域）として配置されている。そして、図６に示されているように、図５の光源装置１０では、３つの固体光源５ａ，５ｂ，５ｃは、３つの固体光源５ａ，５ｂ，５ｃからの紫外光が、同時に、３つの全ての蛍光体層２ａ，２ｂ，２ｃを照射するように配置されている。
【００３３】
さらに、図５の光源装置１０では、３つの固体光源５ａ，５ｂ，５ｃは、３つの固体光源５ａ，５ｂ，５ｃの光軸と蛍光回転体１との交点の蛍光回転体１の回転軸Ｘからの距離が、３つの固体光源５ａ，５ｂ，５ｃごとに異なっている。概略的には、図６に示すように、３つの固体光源５ａ，５ｂ，５ｃが蛍光回転体１の回転軸Ｘからそれぞれ異なった距離に配置されている。
【００３４】
図５、図６の構成では、モーター４によって蛍光回転体１を回転させることで、赤緑青の３色の混色により白色光を得るとき、紫外光を出射する３つの固体光源５ａ，５ｂ，５ｃが、同時に、それぞれ異なる蛍光体層２ａ，２ｂ，２ｃを照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００３５】
例えば図６に示した赤緑青の３つの蛍光体領域を有する蛍光回転体を３つの固体光源で照射する場合、ある１つの光源だけに注目した場合は、時間順次で赤緑青の発光を繰り返しカラーブレイクを生じることになるが、別の光源では同時に必ず別の色を励起するようにすれば、複数の光源によって励起された異なった発光色の混色を観察することになり、カラーブレイクは生じ難い。特に図６に示した光源位置のように、３等分された蛍光回転体を同じく角度間隔が１２０°で３等分された同じ個数の光源で励起する場合は、ある瞬間では必ず赤緑青の３色の蛍光色が発光していることになり、常にこの関係が保持されることになるので、全くカラーブレイクを感じない光源装置を実現できる。
【００３６】
さらに、図５、図６の構成では、３つの固体光源５ａ，５ｂ，５ｃは、３つの固体光源５ａ，５ｂ，５ｃの光軸と蛍光回転体１との交点の蛍光回転体１の回転軸Ｘからの距離が、３つの固体光源５ａ，５ｂ，５ｃごとに異なっているので（概略的には、図６に示すように、３つの固体光源５ａ，５ｂ，５ｃは、蛍光回転体１の回転軸Ｘからそれぞれ異なった距離に配置されているので）、個々の固体光源５ａ，５ｂ，５ｃからの光は蛍光回転体１のそれぞれ異なる半径の同心円上を照射することになり、蛍光回転体１の蛍光体の劣化を少なくすることができる。
【００３７】
なお、図５に示した光源装置１０では、蛍光回転体１が透過型のものとして構成され、固体光源５ａ，５ｂ，５ｃからの励起光によって励起された各蛍光体層２ａ，２ｂ，２ｃからの発光のうち、固体光源５ａ，５ｂ，５ｃ側とは反対側に出射する光を用いるようになっている。以下、この形式の蛍光回転体を、透過型蛍光回転体と称す。ここで、各蛍光体層２ａ，２ｂ，２ｃからの出射光を考えると、上記透過光（固体光源５ａ，５ｂ，５ｃ側とは反対側に出射する光）とともに、蛍光体層２ａ，２ｂ，２ｃで反射されて固体光源５ａ，５ｂ，５ｃ側へ戻って行く発光、つまり反射光も存在している。蛍光体領域に蛍光体層を単に配置しただけの蛍光回転体では、この反射光は照明光として利用できない光となってしまう。
【００３８】
蛍光回転体１として透過型蛍光回転体を用いる場合に、蛍光体層２ａ，２ｂ，２ｃからの上記反射光を照明光として利用するため、図７に示すように（なお、図７は図６のＢ−Ｂ線における断面図である）、蛍光回転体１の蛍光体層２ａ，２ｂ，２ｃより固体光源５ａ，５ｂ，５ｃ側に、紫外光を透過し可視光を反射する光学手段（バンドパスフィルター）１２を設けることができる。より具体的には、蛍光回転体１の蛍光体層２ａ，２ｂ，２ｃが固体光源５ａ，５ｂ，５ｃ側とは反対側の基板１１面上に配置されており、かつ、固体光源５ａ，５ｂ，５ｃ側の基板１１面上には、紫外光を透過し可視光（赤色光または緑色光または青色光）を反射する光学手段（バンドパスフィルター）１２が設けられている。固体光源５ａ，５ｂ，５ｃ側の基板１１面上に、紫外光を透過し可視光（赤色光または緑色光または青色光）を反射する光学手段（バンドパスフィルター）１２が設けられていることにより、蛍光体層２ａ，２ｂ，２ｃで反射されて固体光源５ａ，５ｂ，５ｃ側へ戻って行く発光、つまり反射光をも、照明光として利用することができる。すなわち、効率の高い光源装置を実現できる。
【００３９】
なお、蛍光体領域の蛍光体層での励起光から蛍光への変換効率は、蛍光体層を形成する蛍光体材料により異なるが、５０％から９９％程度である。従って、本発明では、この変換効率を考慮に入れた蛍光回転体１を設計する必要がある。具体的には、変換効率が高い蛍光体層が配置された蛍光体領域の透過率もしくは反射率を調整する設計手法が考えられる。蛍光体領域２ａ，２ｂ，２ｃの透過率もしくは反射率を調整する方法としては、蛍光体層２ａ，２ｂ，２ｃに重ねて所定の透過率を有する調整層をさらに設ける方法などが考えられる。ここで、調整層としては、それぞれの蛍光体の蛍光波長付近に吸収波長を有する顔料を薄膜として配置するなどの方法が利用できる。
【００４０】
図８は、本発明の第１の実施形態の光源装置の他の構成例を示す図（概略正面図）である。なお、図８において、図５と対応する箇所には同じ符号を付している。図８の光源装置３０も、図５の光源装置１０と同様に、紫外光を出射する３つの固体光源５ａ，５ｂ，５ｃと、回転軸Ｘの周りに回転可能な（モーター４によって回転する）蛍光回転体２１とを備えている。ここで、蛍光回転体２１は、図６に示す蛍光体層（紫外光を照射すると赤色または緑色または青色の蛍光を発光する蛍光体層）２ａ，２ｂ，２ｃが蛍光体領域として設けられているものを用いているが、図８の光源装置３０では、蛍光回転体２１が反射型のものとして構成され、固体光源５ａ，５ｂ，５ｃからの励起光によって励起された各蛍光体層２ａ，２ｂ，２ｃからの発光のうち固体光源５ａ，５ｂ，５ｃ側に出射する光を用いるようになっている。以下、この形式の蛍光回転体を、反射型蛍光回転体という。ここで、蛍光体層２ａ，２ｂ，２ｃからの出射光を考えると、入射励起光に対して反射する光とともに、蛍光体層２ａ，２ｂ，２ｃで多重反射され固体光源５ａ，５ｂ，５ｃとは反対側に透過する発光や、蛍光体層２ａ，２ｂ，２ｃを励起せず励起光のまま固体光源５ａ，５ｂ，５ｃと反対側に透過する光も存在している。もし、蛍光回転体２１の蛍光体層２ａ，２ｂ，２ｃを配置する基板が透明であるとすると、これらの光は蛍光回転体２１の裏側に抜ける透過光となり、照明光として利用できない光となってしまう。
【００４１】
反射型蛍光回転体２１を用いる場合に、蛍光体層２ａ，２ｂ，２ｃからの上記透過光を照明光として利用するため、図９に示すように（図９は図７（透過型蛍光回転体）に対応する図である）、蛍光回転体２１の基板３１自体を金属製とすることができる。あるいは、蛍光回転体２１の蛍光体層２ａ，２ｂ，２ｃを配置する基板上に反射面を設けることができる。具体的には、透明な基板上に金属膜を配置することができる。これにより、効率の高い光源装置を実現できる。
【００４２】
なお、反射型蛍光回転体２１においても、透過型蛍光回転体１と同様に、蛍光体領域の蛍光体層での励起光から蛍光への変換効率を考慮に入れた蛍光回転体を設計する必要がある。
【００４３】
図８の光源装置３０も、モーター４によって蛍光回転体２１を回転させることで、赤緑青の３色の混色により白色光を得るとき、紫外光を出射する３つの固体光源５ａ，５ｂ，５ｃが、同時に、それぞれ異なる蛍光体層２ａ，２ｂ，２ｃを照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００４４】
例えば図６に示した赤緑青の３つの蛍光体領域を有する蛍光回転体を３つの固体光源で照射する場合、ある１つの光源だけに注目した場合は、時間順次で赤緑青の発光を繰り返しカラーブレイクを生じることになるが、別の光源では同時に必ず別の色を励起するようにすれば、複数の光源によって励起された異なった発光色の混色を観察することになり、カラーブレイクは生じ難い。特に図６に示した光源位置のように、３等分された蛍光回転体を同じく角度間隔が１２０°で３等分された同じ個数の光源で励起する場合は、ある瞬間では必ず赤緑青の３色の蛍光色が発光していることになり、常にこの関係が保持されることになるので、全くカラーブレイクを感じない光源装置を実現できる。
【００４５】
さらに、図８、図６の構成では、３つの固体光源５ａ，５ｂ，５ｃは、３つの固体光源５ａ，５ｂ，５ｃの光軸と蛍光回転体２１との交点の蛍光回転体２１の回転軸Ｘからの距離が、３つの固体光源５ａ，５ｂ，５ｃごとに異なっているので（概略的には、図６に示すように、３つの固体光源５ａ，５ｂ，５ｃは、蛍光回転体２１の回転軸Ｘからそれぞれ異なった距離に配置されているので）、個々の固体光源５ａ，５ｂ，５ｃからの光は蛍光回転体２１のそれぞれ異なる半径の同心円上を照射することになり、蛍光回転体２１の蛍光体の劣化を少なくすることができる。
【００４６】
また、図１０は、本発明の第１の実施形態の光源装置の他の構成例を示す図（概略正面図）である。なお、図１０において、図８と対応する箇所には同じ符号を付している。
【００４７】
図１０を参照すると、この光源装置３５は、紫外光を出射する３つの固体光源５ａ，５ｂ，５ｃと、回転軸Ｘの周りに回転可能な（モーター４によって回転する）円錐形状の蛍光回転体２１とを備えている。すなわち、図８の構成例では、蛍光回転体２１に平板状の蛍光回転体を用いたが、図１０の構成例では、蛍光回転体２１に円錐形状の蛍光回転体を用いている。図１１は、図１０の光源装置３５に用いられる蛍光回転体２１（すなわち、円錐形状の蛍光回転体２１）の一例を示す図（平面図）である（なお、図１１には、固体光源５ａ，５ｂ，５ｃの位置も図示されている）。図１１の例では、蛍光回転体２１は、円錐形状の基板上に、紫外光を照射すると赤色、緑色、青色の蛍光をそれぞれ発光する蛍光体層２ａ，２ｂ，２ｃが３つの分割された領域（３等分された領域）として配置されている。そして、図１０の光源装置３５では、３つの固体光源５ａ，５ｂ，５ｃは、それぞれ異なる高さ位置に配置され（これに従い、図１１に示すように、３つの固体光源５ａ，５ｂ，５ｃは、蛍光回転体２１の回転軸Ｘからそれぞれ異なった距離に配置され）、また、３つの固体光源５ａ，５ｂ，５ｃは、図１１に示されているように、３つの固体光源５ａ，５ｂ，５ｃから矢印Ａ１の方向に出射された紫外光が、同時に、３つの全ての蛍光体層２ａ，２ｂ，２ｃを照射するように配置されている。
【００４８】
また、図１０の光源装置３５では、円錐形状の蛍光回転体２１が反射型のものとして（すなわち、反射型蛍光回転体として）構成され、固体光源５ａ，５ｂ，５ｃから矢印Ａ１の方向に出射された紫外光（励起光）によって励起された各蛍光体層２ａ，２ｂ，２ｃからの発光のうち、円錐形状の蛍光回転体２１で反射されて矢印Ａ２の方向に出射する光を照明光として利用できるようになっている。ここで、円錐形状の蛍光回転体２１は反射型蛍光回転体となっているので、図９で説明したように、蛍光回転体２１の蛍光体層２ａ，２ｂ，２ｃを配置する基板自体を金属製とすることができる。あるいは、蛍光回転体１の蛍光体層２ａ，２ｂ，２ｃを配置する基板上に反射面を設けることができる。具体的には、透明な基板上に金属膜を配置することができる。これにより、効率の高い光源装置を実現できる。なお、前述したように、この反射型蛍光回転体２１においても、透過型蛍光回転体１と同様に、蛍光体領域の蛍光体層での励起光から蛍光への変換効率を考慮に入れた蛍光回転体を設計する必要がある。
【００４９】
図１０、図１１の構成では、モーター４によって蛍光回転体２１を回転させることで、赤緑青の３色の混色により白色光を得るとき、紫外光を出射する３つの固体光源５ａ，５ｂ，５ｃが、同時に、それぞれ異なる蛍光体層２ａ，２ｂ，２ｃを照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００５０】
さらに、図１０、図１１の構成では、３つの固体光源５ａ，５ｂ，５ｃは、３つの固体光源５ａ，５ｂ，５ｃの光軸と蛍光回転体２１との交点の蛍光回転体２１の回転軸Ｘからの距離が、３つの固体光源５ａ，５ｂ，５ｃごとに異なっているので（より具体的に、３つの固体光源５ａ，５ｂ，５ｃは、それぞれ異なる高さ位置に配置され、これに従い、図１１に示すように、３つの固体光源５ａ，５ｂ，５ｃは、円錐形状の蛍光回転体２１の回転軸Ｘからそれぞれ異なった距離に配置されているので）、個々の固体光源５ａ，５ｂ，５ｃからの光は円錐形状の蛍光回転体２１のそれぞれ異なる半径の同心円上を照射することになり、円錐形状の蛍光回転体２１の蛍光体の劣化を少なくすることができる。
【００５１】
さらに、図１０、図１１の構成では、円錐形状の反射型蛍光回転体を使用しているので、例えば円錐の頂角を９０度（回転軸Ｘに対する傾き角は４５度）とし、固体光源の光軸と回転軸Ｘとのなす角度を９０度とする等、所定の関係にすれば、反射型蛍光回転体の回転軸Ｘ方向に主照射方向を有する（主照射方向Ａ２を回転軸Ｘ方向に一致させる）光源装置を実現することができる。これにより、余計な光学系を設ける必要なく、複数（いまの場合、３つ）の光（白色光）の出射方向を統一できる。
【００５２】
以下、本発明の第１の実施形態の光源装置１０、３０、３５をより詳細に説明する。
【００５３】
本発明の第１の実施形態の光源装置１０、３０、３５において、固体光源５ａ，５ｂ，５ｃとしては、いずれも同じ構成のものを用いることができる。すなわち、固体光源５ａ，５ｂ，５ｃには、例えば、ＩｎＧａＮ系の材料を用いた発光波長が約３８０ｎｍの近紫外光を発光する発光ダイオードを用いることができる。なお、固体光源５ａ，５ｂ，５ｃとしては、発光ダイオードに限らず、紫外光を放出する光源であれば良く、半導体レーザー等を用いることもできる。
【００５４】
また、蛍光回転体１、２１には、赤、緑、青の発光色に対応する蛍光体層２ａ，２ｂ，２ｃが、図６、図１１に示すように、各色が同じ形（面積）となるように（各色が３等分されるように）塗り分けられたものを使用できる。なお、変換効率が各色の蛍光体間で異なる場合は、前述した設計手法に従い蛍光回転体を作製することになる。塗り分けは、それぞれの蛍光体層パターンに対応する開口部（メタルメッシュ開口）を有するスクリーンを用いた印刷法などが利用できる。また、透過型蛍光回転体１の基板１１としては、透明基板（石英ガラス基板など）が使用され、反射型蛍光回転体２１の基板３１としては、アルミなどの金属基板が使用可能である。
【００５５】
ここで、各色が同じ形になる（各色が３等分されている）上記蛍光回転体に対して、固体光源５ａ，５ｂ，５ｃも蛍光回転体１、２１の回転軸Ｘを中心として同じ角度間隔（１２０°の角度間隔）で配置されている。このような配置を採用することにより、常に蛍光回転体の全ての色が同時に発光している状態を作り出すことができる。ただし、前述したように、３つの固体光源５ａ，５ｂ，５ｃは、３つの固体光源５ａ，５ｂ，５ｃの光軸と蛍光回転体１、２１との交点の蛍光回転体１、２１の回転軸Ｘからの距離が、３つの固体光源５ａ，５ｂ，５ｃごとに異なっている（概略的には、３つの固体光源５ａ，５ｂ，５ｃは蛍光回転体１、２１の回転軸Ｘからそれぞれ異なった距離に配置されている）。
【００５６】
また、蛍光体層２ａ，２ｂ，２ｃには、波長が約３８０ｎｍないし約４００ｎｍの紫外光により励起されるものとして、例えば、赤色蛍光体層２ａには、ＣａＡｌＳｉＮ３：Ｅｕ２＋、Ｃａ２Ｓｉ５Ｎ８：Ｅｕ２＋、Ｌａ２Ｏ２Ｓ：Ｅｕ３＋、ＫＳｉＦ６：Ｍｎ４＋、  ＫＴｉＦ６：Ｍｎ４＋等を用いることができ、緑色蛍光体層２ｂには、（Ｓｉ，Ａｌ）６（Ｏ，Ｎ）８：Ｅｕ２＋、ＢａＭｇＡｌ１０Ｏ１７：Ｅｕ２＋，Ｍｎ２＋、（Ｂａ，Ｓｒ）２ＳｉＯ４：Ｅｕ２＋等を用いることができ、青色蛍光体層２ｃには、（Ｓｒ，Ｃａ，Ｂａ，Ｍｇ）１０（ＰＯ４）６Ｃｌ２：Ｅｕ２＋、ＢａＭｇＡｌ１０Ｏ１７：Ｅｕ２＋、ＬａＡｌ（Ｓｉ，Ａｌ）６（Ｎ，Ｏ）１０：Ｃｅ３＋等を用いることができる。
【００５７】
図７に示す透過型蛍光回転体１では、透明な石英ガラス基板１１の固体光源５ａ，５ｂ，５ｃとは反対側の面に蛍光体層２ａ，２ｂ，２ｃが設けられ、また、固体光源５ａ，５ｂ，５ｃ側の面には光学手段（バンドパスフィルター）１２が配置されている。ここで、バンドパスフィルター１２には、紫外光を透過して可視光を反射させるように設計された誘電体多層膜（具体的には、高屈折率材料（ＴｉＯ２，ＬａＴｉＯ，Ｔａ２Ｏ５，Ｎｂ２Ｏ５等）と低屈折率材料（ＳｉＯ２，ＭｇＦ２等）とが交互に積層された膜）からなるバンドパスフィルターを使用することができる。
【００５８】
また、図９に示す反射型蛍光回転体２１では、アルミ金属基板３１上に蛍光体層２ａ，２ｂ，２ｃが配置されている。なお、基板３１に石英ガラス基板のような透明なものを使用する場合は、基板３１上に反射面としてアルミなどの金属膜を蒸着などの方法で形成する必要がある。図９に示すようなアルミなどの金属基板を使用する場合は反射面の新たな形成は不要である。
【００５９】
なお、上述した例では、３つの固体光源５ａ，５ｂ，５ｃが、同時に、３つの蛍光体層（すなわち、全ての蛍光体層）２ａ，２ｂ，２ｃを照射するようにしており、これにより、より完全にカラーブレイク現象を防止できるが、本発明は、この構成に限定されず、種々の変形が可能である。例えば図１２に示すように、蛍光回転体上の３つの蛍光体層２ａ，２ｂ，２ｃに対し、固体光源の個数が２であり、２つの固体光源５ａ，５ｂが、同時に、３つの蛍光体層２ａ，２ｂ，２ｃのうちの２つの蛍光体層を照射し、かつ、２つの固体光源５ａ，５ｂが蛍光回転体の回転軸Ｘからそれぞれ異なった距離に配置されているような場合も、本発明の範囲に含まれる。なお、この場合は、例えば図６に示す場合に比べれば劣るが、図１に示す場合に比べれば、格段にカラーブレイク現象を防止できる。また、上述の例では、蛍光回転体には、赤緑青の３つの蛍光体領域２ａ，２ｂ，２ｃが設けられている場合を示したが、例えば図３に示したように赤緑青の蛍光体領域がそれぞれ２つずつ赤緑青の順に繰り返し設けられている場合（６つの蛍光体領域が設けられている場合）において、固体光源５ａ，５ｂ，５ｃを図１３（ａ）や図１３（ｂ）のように配置する場合（この場合も、３つの固体光源５ａ，５ｂ，５ｃは蛍光回転体の回転軸Ｘからそれぞれ異なった距離に配置されている）なども、本発明の範囲に含まれる。
【００６０】
本発明の第２の実施形態の光源装置は、可視光を発光する複数の固体光源と、該固体光源により励起され該固体光源の発光波長よりも長波長の蛍光を発光する少なくとも１つの蛍光体領域と、蛍光体が配置されていない非蛍光体領域とを、互いに分割された領域として有し、回転軸の周りに回転可能な蛍光回転体とを備え、前記複数の固体光源からの光が、前記蛍光体領域および前記非蛍光体領域のうちの２つ以上の領域を同時に照射するように前記複数の固体光源が配置され、前記複数の固体光源の光軸と前記蛍光回転体との交点の前記蛍光回転体の回転軸からの距離が、前記複数の固体光源ごとに異なっていることを特徴としている。
【００６１】
より好適には、前記複数の固体光源からの可視光が、前記蛍光体領域および前記非蛍光体領域の全ての領域を同時に照射することを特徴としている。
【００６２】
なお、上記蛍光体領域とは、蛍光体層を有する領域であって、後述のように、蛍光体層に対応させて、バンドパスフィルターや調整層などが設けられる場合には、蛍光体層とともに、これらをも含めたものを指すものとする。以下では、便宜上、蛍光体層とこれに対応する蛍光体領域には、同じ符号を付している。また、非蛍光体領域とは、蛍光体層を有しない領域を指すものとする。
【００６３】
図１４は、本発明の第２の実施形態の光源装置の一構成例を示す図（概略正面図）である。なお、図１４において、図５と同様の箇所には同じ符号を付している。図１４を参照すると、この光源装置５０は、可視光（例えば、青色光）を出射する３つの固体光源４５ａ，４５ｂ，４５ｃと、回転軸Ｘの周りに回転可能な（モーター４によって回転する）蛍光回転体４１とを備えている。図１５は、図１４の光源装置５０に用いられる蛍光回転体４１の一例を示す図（平面図）である（なお、図１５には、固体光源４５ａ，４５ｂ，４５ｃの位置も図示されている）。図１５の例では、蛍光回転体４１は、透明な基板（例えば石英ガラス基板）上に、可視光（例えば、青色光）を照射すると赤色、緑色の蛍光をそれぞれ発光する蛍光体層４２ａ，４２ｂが２つの分割された蛍光体領域として配置され、蛍光体層が設けられていない領域４２ｃが非蛍光体領域として配置されている。ここで、領域４２ａ，４２ｂ，４２ｃは、３等分された領域として構成されている。そして、図１５に示されているように、図１４の光源装置５０では、３つの固体光源４５ａ，４５ｂ，４５ｃは、３つの固体光源４５ａ，４５ｂ，４５ｃからの可視光（例えば、青色光）が、同時に、３つの全ての領域４２ａ，４２ｂ，４２ｃを照射するように配置されている。
【００６４】
さらに、図１４の光源装置５０では、３つの固体光源４５ａ，４５ｂ，４５ｃは、３つの固体光源４５ａ，４５ｂ，４５ｃの光軸と蛍光回転体４１との交点の蛍光回転体４１の回転軸Ｘからの距離が、３つの固体光源４５ａ，４５ｂ，４５ｃごとに異なっている。概略的には、図１５に示すように、３つの固体光源４５ａ，４５ｂ，４５ｃが蛍光回転体４１の回転軸Ｘからそれぞれ異なった距離に配置されている。
【００６５】
図１４、図１５の構成では、可視光（例えば青色光）を発光する固体光源４５ａ，４５ｂ，４５ｃの色（いまの例では、青色）と、固体光源４５ａ，４５ｂ，４５ｃにより励起され固体光源４５ａ，４５ｂ，４５ｃの発光波長よりも長波長の蛍光色（赤色と緑色）との混色により、白色光を得るとき、青色光を出射する３つの固体光源４５ａ，４５ｂ，４５ｃが、同時に、それぞれ異なる領域４２ａ，４２ｂ，４２ｃを照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００６６】
さらに、図１４、図１５の構成では、３つの固体光源４５ａ，４５ｂ，４５ｃは、３つの固体光源４５ａ，４５ｂ，４５ｃの光軸と蛍光回転体４１との交点の蛍光回転体４１の回転軸Ｘからの距離が、３つの固体光源４５ａ，４５ｂ，４５ｃごとに異なっているので（概略的には、図１５に示すように、３つの固体光源４５ａ，４５ｂ，４５ｃは、蛍光回転体４１の回転軸Ｘからそれぞれ異なった距離に配置されているので）、個々の固体光源４５ａ，４５ｂ，４５ｃからの光は蛍光回転体４１のそれぞれ異なる半径の同心円上を照射することになり、蛍光回転体４１の蛍光体の劣化を少なくすることができる。
【００６７】
なお、図１４に示した光源装置５０では、蛍光回転体４１が透過型のものとして構成され、固体光源４５ａ，４５ｂ，４５ｃからの励起光によって励起された２つの蛍光体領域（蛍光体層４２ａ，４２ｂ）からの発光のうち固体光源４５ａ，４５ｂ，４５ｃ側とは反対側に出射する光、および、非蛍光体領域４２ｃを透過する可視光固体光源（青色固体光源）４５ａ，４５ｂ，４５ｃの光を用いている。以下、この形式の蛍光回転体を、透過型蛍光回転体と称す。ここで、各蛍光体層４２ａ，４２ｂからの出射光を考えると、上記透過光（固体光源４５ａ，４５ｂ，４５ｃ側とは反対側に出射する光）とともに蛍光体層４２ａ，４２ｂで反射されて固体光源４５ａ，４５ｂ，４５ｃ側へ戻って行く発光、つまり反射光も存在している。蛍光体領域に蛍光体層を単に配置しただけの蛍光回転体では、この反射光は照明光として利用できない光となってしまう。
【００６８】
蛍光回転体４１として透過型蛍光回転体を用いる場合に、蛍光体層４２ａ，４２ｂからの上記反射光を照明光として利用するため、図１６に示すように（なお、図１６は図１５のＣ−Ｃ線における断面図である）、蛍光回転体４１の蛍光体層４２ａ，４２ｂより固体光源４５ａ，４５ｂ，４５ｃ側に、固体光源４５ａ，４５ｂ，４５ｃが発する光を透過し蛍光体層４２ａ，４２ｂが発する光を反射する光学手段（バンドパスフィルター）５２を設けることができる。より具体的には、蛍光回転体４１の蛍光体層４２ａ，４２ｂが固体光源４５ａ，４５ｂ，４５ｃ側とは反対側の基板５１面上に配置されており、かつ、固体光源４５側の基板５１面上には、固体光源４５ａ，４５ｂ，４５ｃが発する光（青色光）を透過し蛍光体層４２ａ，４２ｂが発する光（赤色光、緑色光）を反射する光学手段（バンドパスフィルター）５２が設けられている。固体光源４５ａ，４５ｂ，４５ｃが発する光（青色光）を透過し蛍光体層４２ａ，４２ｂが発する光（赤色光、緑色光）を反射する光学手段（バンドパスフィルター）５２が設けられていることにより、蛍光体層４２ａ，４２ｂで反射されて固体光源４５ａ，４５ｂ，４５ｃ側へ戻って行く発光、つまり反射光をも、照明光として利用することができる。すなわち、効率の高い光源装置を実現できる。
【００６９】
なお、蛍光体領域の蛍光体層での励起光から蛍光への変換効率は、蛍光体層を形成する蛍光体材料により異なるが、５０％から９９％程度である。従って、本発明では、この変換効率を考慮に入れた蛍光回転体４１を設計する必要がある。具体的には、非蛍光体領域４２ｃ（変換効率が１００％）や変換効率が高い蛍光体層が配置された蛍光体領域の透過率もしくは反射率を調整したり、あるいは、非蛍光体領域４２ｃに散乱性を持たせて透過率もしくは反射率を調整する設計手法が考えられる。透過率もしくは反射率を調整する方法としては、非蛍光体領域４２ｃでは、非蛍光体領域４２ｃ上に所定の透過率を有する調整層を設け、また、蛍光体領域４２ａ，４２ｂでは、蛍光体層４２ａ，４２ｂに重ねて所定の透過率を有する調整層をさらに設ける方法などが考えられる。ここで、非蛍光体領域４２ｃ上に設けられる調整層としては、青色光を一部吸収する顔料を薄膜として配置するなどの方法が利用できる。また、蛍光体層４２ａ，４２ｂに重ねて設けられる調整層としては、それぞれの蛍光体の蛍光波長付近に吸収波長を有する顔料を薄膜として配置するなどの方法が利用できる。また、非蛍光体領域４２ｃに散乱性を持たせるためには、蛍光回転体４１の基板５１表面に微細な凹凸を付けたり、散乱材を混入した散乱層を蛍光回転体４１の基板５１上に配置する方法などが考えられる。
【００７０】
図１７は、本発明の第２の実施形態の光源装置の他の構成例を示す図である。なお、図１７において、図１４と対応する箇所には同じ符号を付している。図１７の光源装置７０も、図１４の光源装置５０と同様に、可視光（例えば、青色光）を出射する３つの固体光源４５ａ，４５ｂ，４５ｃと、回転軸Ｘの周りに回転可能な（モーター４によって回転する）蛍光回転体６１とを備えている。ここで、蛍光回転体６１は、図１５に示すように、蛍光体層（可視光（例えば、青色光）を照射すると赤色または緑色の蛍光を発光する蛍光体層）４２ａ，４２ｂが蛍光体領域として配置され、蛍光体層が設けられていない領域４２ｃが非蛍光体領域として配置されているものを用いているが、図１７の光源装置７０では、蛍光回転体６１が反射型のものとして構成され、固体光源４５ａ，４５ｂ，４５ｃからの励起光によって励起された各蛍光体領域（各蛍光体層）４２ａ，４２ｂからの発光のうち固体光源４５ａ，４５ｂ，４５ｃ側に出射する光（赤色光、緑色光）、および、非蛍光体領域４２ｃで反射する可視光固体光源（青色固体光源）４５ａ，４５ｂ，４５ｃの光（青色光）を用いている。以下、この形式の蛍光回転体を、反射型蛍光回転体と称す。ここで、蛍光体層４２ａ，４２ｂからの出射光を考えると、入射励起光に対して反射する光とともに蛍光体層４２ａ，４２ｂで多重反射され固体光源４５ａ，４５ｂ，４５ｃとは反対側に透過する発光や、蛍光体層４２ａ，４２ｂを励起せず励起光のまま固体光源４５ａ，４５ｂ，４５ｃと反対側に透過する光も存在している。もし、蛍光回転体６１の蛍光体層４２ａ，４２ｂを配置する基板が透明であるとすると、これらの光は蛍光回転体の裏側に抜ける透過光となり、照明光として利用できない光となってしまう。
【００７１】
反射型蛍光回転体６１を用いる場合に、蛍光体層４２ａ，４２ｂからの上記透過光を照明光として利用するため、図１８に示すように（図１８は図１６（透過型蛍光回転体）に対応する図である）、蛍光回転体６１の基板７１自体を金属製とすることができる。あるいは、蛍光回転体６１の蛍光体層４２ａ，４２ｂを配置する基板上に反射面を設けることができる。具体的には、透明な基板上に金属膜を配置することができる。
【００７２】
なお、反射型蛍光回転体６１においても、透過型蛍光回転体４１と同様に、蛍光体領域の蛍光体層での励起光から蛍光への変換効率を考慮に入れた蛍光回転体を設計する必要がある。また、非蛍光体領域には、調整層などが配置される。
【００７３】
図１７の光源装置７０も、可視光（例えば青色光）を発光する固体光源４５ａ，４５ｂ，４５ｃの色（いまの例では、青色）と、固体光源４５ａ，４５ｂ，４５ｃにより励起され固体光源４５ａ，４５ｂ，４５ｃの発光波長よりも長波長の蛍光色（赤色と緑色）との混色により、白色光を得るとき、青色光を出射する３つの固体光源４５ａ，４５ｂ，４５ｃが、同時に、それぞれ異なる領域４２ａ，４２ｂ，４２ｃを照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００７４】
さらに、図１７、図１５の構成では、３つの固体光源４５ａ，４５ｂ，４５ｃは、３つの固体光源４５ａ，４５ｂ，４５ｃの光軸と蛍光回転体６１との交点の蛍光回転体６１の回転軸Ｘからの距離が、３つの固体光源４５ａ，４５ｂ，４５ｃごとに異なっているので（概略的には、図１５に示すように、３つの固体光源４５ａ，４５ｂ，４５ｃは、蛍光回転体６１の回転軸Ｘからそれぞれ異なった距離に配置されているので）、個々の固体光源４５ａ，４５ｂ，４５ｃからの光は蛍光回転体６１のそれぞれ異なる半径の同心円上を照射することになり、蛍光回転体６１の蛍光体の劣化を少なくすることができる。
【００７５】
また、図１９は、本発明の第２の実施形態の光源装置の他の構成例を示す図（概略正面図）である。なお、図１９において、図１７と対応する箇所には同じ符号を付している。
【００７６】
図１９を参照すると、この光源装置７５は、可視光（例えば青色光）を出射する３つの固体光源４５ａ，４５ｂ，４５ｃと、回転軸Ｘの周りに回転可能な（モーター４によって回転する）円錐形状の蛍光回転体６１とを備えている。すなわち、図１７の構成例では、蛍光回転体６１に平板状の蛍光回転体を用いたが、図１９の構成例では、蛍光回転体６１に円錐形状の蛍光回転体を用いている。図２０は、図１９の光源装置７５に用いられる蛍光回転体６１（図１９では、円錐形状の蛍光回転体６１）の一例を示す図（平面図）である（なお、図２０には、固体光源４５ａ，４５ｂ，４５ｃの位置も図示されている）。図２０の例では、蛍光回転体６１は、基板上に、可視光（例えば、青色光）を照射すると赤色、緑色の蛍光をそれぞれ発光する蛍光体層４２ａ，４２ｂが２つの分割された蛍光体領域として配置され、蛍光体層が設けられていない領域４２ｃが非蛍光体領域として配置されている。ここで、領域４２ａ，４２ｂ，４２ｃは、３等分された領域として構成されている。そして、図１９の光源装置７５では、３つの固体光源４５ａ，４５ｂ，４５ｃは、それぞれ異なる高さ位置に配置され（これに従い、図２０に示すように、３つの固体光源４５ａ，４５ｂ，４５ｃは、蛍光回転体６１の回転軸Ｘからそれぞれ異なった距離に配置され）、また、３つの固体光源４５ａ，４５ｂ，４５ｃは、図２０に示されているように、３つの固体光源４５ａ，４５ｂ，４５ｃから矢印Ａ１の方向に出射された可視光（例えば青色光）が、同時に、３つの全ての領域４２ａ，４２ｂ，４２ｃを照射するように配置されている。
【００７７】
また、図１９の光源装置７５では、円錐形状の蛍光回転体６１が反射型のものとして（すなわち、反射型蛍光回転体として）構成され、固体光源４５ａ，４５ｂ，４５ｃから矢印Ａ１の方向に出射された可視光（例えば青色光）による各領域４２ａ，４２ｂ，４２ｃからの光のうち、円錐形状の蛍光回転体６１で反射されて矢印Ａ２の方向に出射する光を照明光として利用できるようになっている。ここで、円錐形状の蛍光回転体６１は反射型蛍光回転体となっているので、図１８で説明したように、蛍光回転体６１の基板自体を金属製とすることができる。あるいは、蛍光回転体６１の蛍光体層４２ａ，４２ｂを配置する基板上に反射面を設けることができる。具体的には、透明な基板上に金属膜を配置することができる。これにより、効率の高い光源装置を実現できる。なお、前述したように、この反射型蛍光回転体６１においても、透過型蛍光回転体４１と同様に、蛍光体領域の蛍光体層での励起光から蛍光への変換効率を考慮に入れた蛍光回転体を設計する必要がある。
【００７８】
図１９、図２０の構成では、モーター４によって蛍光回転体６１を回転させることで、赤緑青の３色の混色により白色光を得るとき、可視光（例えば青色光）を出射する３つの固体光源４５ａ，４５ｂ，４５ｃが、同時に、それぞれ異なる領域４２ａ，４２ｂ，４２ｃを照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００７９】
さらに、図１９、図２０の構成では、３つの固体光源４５ａ，４５ｂ，４５ｃは、３つの固体光源４５ａ，４５ｂ，４５ｃの光軸と蛍光回転体６１との交点の蛍光回転体６１の回転軸Ｘからの距離が、３つの固体光源４５ａ，４５ｂ，４５ｃごとに異なっているので（より具体的に、３つの固体光源４５ａ，４５ｂ，４５ｃは、それぞれ異なる高さ位置に配置され、これに従い、図２０に示すように、３つの固体光源４５ａ，４５ｂ，４５ｃは、円錐形状の蛍光回転体６１の回転軸Ｘからそれぞれ異なった距離に配置されているので）、個々の固体光源４５ａ，４５ｂ，４５ｃからの光は円錐形状の蛍光回転体６１のそれぞれ異なる半径の同心円上を照射することになり、円錐形状の蛍光回転体６１の蛍光体の劣化を少なくすることができる。
【００８０】
さらに、図１９、図２０の構成では、円錐形状の反射型蛍光回転体を使用しているので、例えば円錐の頂角を９０度（回転軸Ｘに対する傾き角は４５度）とし、固体光源の光軸と回転軸Ｘとのなす角度を９０度とする等、所定の関係にすれば、反射型蛍光回転体の回転軸Ｘ方向に主照射方向を有する（主照射方向Ａ２を回転軸Ｘ方向に一致させる）光源装置を実現することができる。これにより、余計な光学系を設ける必要なく、複数（いまの場合、３つ）の光（白色光）の出射方向を統一できる。
【００８１】
以下、本発明の第２の実施形態の光源装置５０、７０、７５をより詳細に説明する。
【００８２】
本発明の第２の実施形態の光源装置５０、７０、７５において、固体光源４５ａ，４５ｂ，４５ｃとしては、いずれも同じ構成のものを用いることができる。すなわち、固体光源４５ａ，４５ｂ，４５ｃには、例えば、ＧａＮ系の材料を用いた発光波長が約４６０ｎｍの青色光を発光する発光ダイオードを用いることができる。なお、固体光源４５ａ，４５ｂ，４５ｃとしては、発光ダイオードに限らず、青色光を放出する光源であれば良く、半導体レーザー等を用いることもできる。
【００８３】
また、蛍光回転体４１、６１には、図１５、図２０に示すように、青色の励起光により赤色および緑色に発光する２つの蛍光体領域（蛍光体層４２ａ，４２ｂ）と非蛍光体領域４２ｃとが、各領域４２ａ，４２ｂ，４２ｃが同じ形（面積）となるように（各領域４２ａ，４２ｂ，４２ｃが３等分されるように）配置されたものを使用できる。なお、変換効率が各色の蛍光体間で異なる場合は、前述した設計手法に従い蛍光体領域を設計することになる。また、非蛍光体領域４２ｃには、前述した調整層が、青色光を一部吸収して青色光の透過率を調整する顔料により設けられている。非蛍光体領域に配置される調整層や蛍光体領域の塗り分けは、それぞれの領域のパターンに対応する開口部（メタルメッシュ開口）を有するスクリーンを用いた印刷法などが利用できる。また、透過型蛍光回転体４１の基板５１としては、透明な基板（石英ガラス基板など）が使用され、反射型蛍光回転体６１の基板７１としてはアルミなどの金属基板が使用可能である。
【００８４】
ここで、各領域４２ａ，４２ｂ，４２ｃが同じ形になる（各領域４２ａ，４２ｂ，４２ｃが３等分されている）上記蛍光回転体４１、６１に対して、固体光源４５ａ，４５ｂ，４５ｃも蛍光回転体４１、６１の回転軸Ｘを中心として同じ角度間隔（１２０°の角度間隔）で配置されている。このような配置を採用することにより、常に蛍光回転体４１、６１の全ての領域４２ａ，４２ｂ，４２ｃが同時に発光している状態を作り出すことができる。
【００８５】
また、蛍光体層４２ａ，４２ｂとしては、波長が約４４０ｎｍないし約４７０ｎｍの青色光により励起されるものとして、例えば、赤色蛍光体層４２ａには、ＣａＡｌＳｉＮ３：Ｅｕ２＋、Ｃａ２Ｓｉ５Ｎ８：Ｅｕ２＋、ＫＳｉＦ６：Ｍｎ４＋、ＫＴｉＦ６：Ｍｎ４＋等を用いることができ、緑色蛍光体層４２ｂには、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋等を用いることができる。
【００８６】
図１６に示す透過型蛍光回転体４１では、透明な石英ガラス基板５１の固体光源４５ａ，４５ｂ，４５ｃとは反対側の面に蛍光体層４２ａ，４２ｂが設けられ、また、固体光源４５ａ，４５ｂ，４５ｃ側の面には光学手段（バンドパスフィルター）５２が配置されている。ここで、バンドパスフィルター５２には、青色光を透過して赤色および緑色光を反射させるように設計された誘電体多層膜（具体的には、高屈折率材料（ＴｉＯ２，ＬａＴｉＯ，Ｔａ２Ｏ５，Ｎｂ２Ｏ５等）と低屈折率材料（ＳｉＯ２，ＭｇＦ２等）とが交互に積層された膜）からなるバンドパスフィルターを使用することができる。非蛍光体領域４２ｃに相当する領域には、例えば調整層が配置され、バンドパスフィルターは配置されていない。
【００８７】
また、図１８に示す反射型蛍光回転体６１では、アルミ金属基板７１上に蛍光体層４２ａ，４２ｂが配置されている。なお、基板７１に石英ガラス基板のような透明なものを使用する場合は、基板７１上に反射面としてアルミなどの金属膜を蒸着などの方法で形成する必要がある。基板７１に図１５に示すようなアルミなどの金属基板を使用する場合は反射面の新たな形成は不要である。
【００８８】
なお、本発明の第２の実施形態の上述した例では、３つの固体光源４５ａ，４５ｂ，４５ｃが、同時に、３つの領域（すなわち、全ての領域）４２ａ，４２ｂ，４２ｃを照射するようにしており、これにより、より完全にカラーブレイク現象を防止できるが、本発明は、この構成に限定されず、種々の変形が可能である。例えば図２１に示すように、蛍光回転体上の３つの領域４２ａ，４２ｂ，４２ｃに対し、固体光源の個数が２であり、２つの固体光源４５ａ，４５ｂが、同時に、３つの領域４２ａ，４２ｂ，４２ｃのうちの２つの領域を照射し、かつ、２つの固体光源４５ａ，４５ｂが蛍光回転体の回転軸Ｘからそれぞれ異なった距離に配置されているような場合も、本発明の範囲に含まれる。なお、この場合は、図１５に示す場合に比べれば劣るものの、カラーブレイク現象を防止できる。また、上述の例では、蛍光回転体には、３つの領域４２ａ，４２ｂ，４２ｃが設けられている場合を示したが、３つの領域４２ａ，４２ｂ，４２ｃがそれぞれ２つずつ順に繰り返し設けられている場合（６つの蛍光体領域が設けられている場合）において、固体光源４５ａ，４５ｂ，４５ｃを図２２（ａ）や図２２（ｂ）のように配置する場合（この場合も、３つの固体光源４５ａ，４５ｂ，４５ｃは蛍光回転体の回転軸Ｘからそれぞれ異なった距離に配置されている）なども、本発明の範囲に含まれる。
【００８９】
また、上述の例では、蛍光回転体として、図１５や図２２に示すものなどを用いたが、第２の実施形態における蛍光回転体としては、例えば１つの蛍光体領域と１つの非蛍光体領域との２つの領域で形成された蛍光回転体を用い、固体光源として可視光（例えば、青色光）を出射する２つの固体光源を用いる構成も可能である。図２３、図２４は、このような光源装置の構成例を示す図である。なお、図２３の光源装置８８は蛍光回転体７２が透過型のものとして構成され、図２４の光源装置８９は蛍光回転体７３が反射型のものとして構成されている。また、図２３、図２４において、図１４、図１７と同様の箇所には同じ符号を付している。
【００９０】
図２３、図２４を参照すると、この光源装置８８、８９は、可視光（例えば、青色光）を出射する２つの固体光源４５ａ，４５ｂと、回転軸Ｘの周りに回転可能な（モーター４によって回転する）蛍光回転体７２、７３とを備えている。図２５は、図２３の光源装置８８に用いられる蛍光回転体７２、７３の一例を示す図（平面図）である（なお、図２５には、固体光源４５ａ，４５ｂの位置も図示されている）。図２５の例では、蛍光回転体７２、７３は、基板上に、可視光（例えば、青色光）を照射すると黄色の蛍光をそれぞれ発光する蛍光体層７４が１つの蛍光体領域として配置され、蛍光体層が設けられていない領域７５が１つの非蛍光体領域として配置されている（すなわち、青色の励起光により黄色に発光する蛍光体層を有する黄色蛍光体領域７４と非蛍光体領域７５とが配置されている）。ここで、各領域７４、７５は、同じ形（面積）の領域（２等分された領域）として構成されている。そして、図２５に示されているように、図２３、図２４の光源装置８８、８９では、２つの固体光源４５ａ，４５ｂは、２つの固体光源４５ａ，４５ｂからの可視光（例えば、青色光）が、同時に、２つの領域７４、７５を照射するように配置されている。すなわち、各領域７４、７５が同じ形になっている上記蛍光回転体７２、７３に対して固体光源４５ａ，４５ｂも蛍光回転体７２、７３の回転軸Ｘを中心として同じ角度間隔（１８０°の角度間隔）で配置されている。このような配置を採用することにより、常に蛍光回転体７２、７３の全ての領域７４、７５が同時に発光している状態を作り出すことができる。また、このような構成において、各領域７４、７５における変換効率が同じになるように設定される必要があり、このため、例えば非蛍光体領域７５には、前述した調整層が、青色光を一部吸収する顔料により設けられている。
【００９１】
さらに、図２３、図２４の光源装置８８、８９では、２つの固体光源４５ａ，４５ｂは、２つの固体光源４５ａ，４５ｂの光軸と蛍光回転体７２、７３との交点の蛍光回転体７２、７３の回転軸Ｘからの距離が、２つの固体光源４５ａ，４５ｂごとに異なっている。概略的には、図２５に示すように、２つの固体光源４５ａ，４５ｂが蛍光回転体７２、７３の回転軸Ｘからそれぞれ異なった距離に配置されている。
【００９２】
図２３、図２４、図２５の構成では、可視光（例えば青色光）を発光する固体光源４５ａ，４５ｂの色（いまの例では、青色）と、固体光源４５ａ，４５ｂにより励起され固体光源４５ａ，４５ｂの発光波長よりも長波長の蛍光色（黄色）との混色により、白色光を得るとき、青色光を出射する２つの固体光源４５ａ，４５ｂが、同時に、それぞれ異なる領域７４、７５を照射するように配置されているので、複数の光源で蛍光回転体の複数の場所を照射して大光量を得るときに、モーター音の増大などを生じさせるほど蛍光回転体の回転速度を早くすることなく、カラーブレイク現象を防止することができる。
【００９３】
さらに、図２３、図２４、図２５の構成では、２つの固体光源４５ａ，４５ｂは、２つの固体光源４５ａ，４５ｂの光軸と蛍光回転体７２、７３との交点の蛍光回転体７２、７３の回転軸Ｘからの距離が、２つの固体光源４５ａ，４５ｂごとに異なっているので（概略的には、図２５に示すように、２つの固体光源４５ａ，４５ｂは、蛍光回転体７２、７３の回転軸Ｘからそれぞれ異なった距離に配置されているので）、個々の固体光源４５ａ，４５ｂからの光は蛍光回転体７２、７３のそれぞれ異なる半径の同心円上を照射することになり、蛍光回転体７２、７３の蛍光体の劣化を少なくすることができる。
【００９４】
より詳細に、図２３、図２４、図２５の光源装置８８、８９において、固体光源４５ａ，４５ｂには、例えば、ＧａＮ系の材料を用いた発光波長が約４６０ｎｍの青色光を発光する発光ダイオードを用いることができる。なお、固体光源４５ａ，４５ｂとしては、発光ダイオードに限らず、青色光を放出する光源であれば良く、半導体レーザー等を用いることもできる。
【００９５】
また、黄色蛍光体層７４としては、波長が約４４０ｎｍないし約４７０ｎｍの青色光により励起されるものとして、例えば、Ｙ３Ａｌ５Ｏ１２：Ｃｅ３＋  （ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等の黄色蛍光体を用いることができる。
【００９６】
また、いずれの蛍光回転体７２、７３においても、非蛍光体領域に配置される調整層や蛍光体領域の形成には、蛍光体領域のパターンに対応する開口部（メタルメッシュ開口）を有するスクリーンを用いた印刷法などが利用できる。
【００９７】
また、図２３に示した光源装置８８では、蛍光回転体７２が透過型のものとして構成され、固体光源４５ａ，４５ｂからの励起光によって励起された１つの蛍光体領域（蛍光体層７４）からの発光のうち固体光源４５ａ，４５ｂ側とは反対側に出射する光、および、非蛍光体領域７５を透過する可視光固体光源（青色固体光源）４５ａ，４５ｂの光を用いている。以下、この形式の蛍光回転体を、透過型蛍光回転体と称す。
【００９８】
また、図２４に示した光源装置８９では蛍光回転体７３が反射型のものとして構成され、固体光源４５ａ，４５ｂからの励起光によって励起された１つの蛍光体領域（蛍光体層）７４からの発光のうち固体光源４５ａ，４５ｂ側に出射する光（黄色光）、および、非蛍光体領域７５で反射する可視光固体光源（青色固体光源）４５ａ，４５ｂの光（青色光）を用いている。以下、この形式の蛍光回転体を、反射型蛍光回転体と称す。
【００９９】
ここで、この蛍光回転体が透過型蛍光回転体７２である場合には、図２６に示すように、その基板７６としては、透明基板（石英ガラス基板など）が使用され、この蛍光回転体が反射型蛍光回転体７３である場合には、図２７に示すように、その基板７８としては、アルミなどの金属基板が使用可能である。
【０１００】
図２６に示す透過型蛍光回転体７２では、透明な石英ガラス基板７６の固体光源４５ａ，４５ｂとは反対側の面に蛍光体層７４が配置され、また、固体光源４５ａ，４５ｂ側の面には光学手段（バンドパスフィルター）７７が配置されている。ここで、バンドパスフィルター７７には、青色光を透過して黄色光を反射させるように設計された誘電体多層膜（具体的には、高屈折率材料（ＴｉＯ２，ＬａＴｉＯ，Ｔａ２Ｏ５，Ｎｂ２Ｏ５等）と低屈折率材料（ＳｉＯ２，ＭｇＦ２等）とが交互に積層された膜）からなるバンドパスフィルターを使用することができる。非蛍光体領域７５に相当する領域にはバンドパスフィルターは配置されていない。
【０１０１】
また、図２７に示す反射型蛍光回転体７３では、アルミ金属基板７８上に蛍光体層７４が配置されている。なお、基板７８に石英ガラス基板のような透明なものを使用する場合は、基板７８の反射面としてアルミなどの金属膜を蒸着などの方法で形成する必要がある。図２７に示すようなアルミなどの金属基板を使用する場合は反射面の新たな形成は不要である。
【０１０２】
なお、上述した図２４、図２５の光源装置８９では、蛍光回転体７３に平板状の蛍光回転体を用いたが、蛍光回転体７３に円錐形状の蛍光回転体を用いることもでき、この場合には、前述したように、２つの固体光源４５ａ，４５ｂを、それぞれ異なる高さ位置に配置し、これに従い、２つの固体光源４５ａ，４５ｂを、円錐形状の蛍光回転体７３の回転軸Ｘからそれぞれ異なった距離に配置することで、個々の固体光源４５ａ，４５ｂからの光は円錐形状の蛍光回転体７３のそれぞれ異なる半径の同心円上を照射することになり、円錐形状の蛍光回転体７３の蛍光体の劣化を少なくすることができる。
【０１０３】
また、上述した本発明の第１、第２の実施形態の各例では、１つの領域に対する光源の個数を１としたが、１つの領域について複数の光源を用いることも可能である。図２８、図２９は、図２３、図２５の構成例において、各領域に２つの光源を用いる場合を示す図である。すなわち、図２８、図２９の例では、１つの蛍光体領域７４および非蛍光体領域７５のそれぞれに２つの光源４５ａ，４６ａ、４５ｂ，４６ｂを用いている。なお、この場合も、光源４５ａ，４６ａと光源４５ｂ，４６ｂとは蛍光回転体の回転軸Ｘからそれぞれ異なった距離に配置されている。このように、各領域のそれぞれに、複数の光源を設けることも可能である。すなわち、分割領域数と光源数とは、等しくなくてもよい。
【０１０４】
図３０は第１、第２の実施形態で示した光源装置（１０、３０、３５、５０、７０、７５等）を用いた照明装置の一構成例を示す図である。図３０の照明装置は、照明装置外郭を形作るケース８２と、ケース８２内に格納された光源装置（１０、３０、３５、５０、７０、または、７５等）と、光源装置（１０、３０、３５、５０、７０、または、７５等）からの光を前方に所定の配光特性を持って照射するレンズ系８３とにより構成されている。
【０１０５】
また、図３１は第１、第２の実施形態で示した光源装置（１０、３０、３５、５０、７０、７５等）を用いた照明装置の他の構成例を示す図である。図３１の照明装置は、照明装置外郭を形作るケース８４と、ケース８４内に格納された光源装置（１０、３０、３５、５０、７０、または、７５等）と、光源装置（１０、３０、３５、５０、７０、または、７５等）からの光を前方に所定の配光特性を持って照射するズームレンズ系８５とにより構成されている。図２６の照明装置では、ズームレンズ系８５にすることによって配光を可変することができる。特に電動式のズームレンズ系を用いた時には遠隔操作によって配光を可変することができる。
【０１０６】
図３０や図３１のようにレンズ系を用いた時でも、本発明の光源装置を用いれば、大光量でカラーブレイクが生じない照明装置を実現できる。
【０１０７】
さらに、透過型蛍光回転体においては、蛍光回転体の蛍光体層より固体光源側に、固体光源が発する光を透過し前記蛍光体層が発する光を反射する光学手段（バンドパスフィルター）を設けることにより、また、反射型蛍光回転体においては、蛍光回転体の蛍光体層を配置する基板上に反射面を形成したりすることにより、効率の高い光源装置および照明装置を提供することができる。
【産業上の利用可能性】
【０１０８】
本発明は、照明一般などに利用可能である。
【符号の説明】
【０１０９】
１、２１、４１、６１、７２、７３          蛍光回転体
２ａ，２ｂ，２ｃ、４２ａ，４２ｂ、７４          蛍光体領域（蛍光体層）
４２ｃ、７５          非蛍光体領域
４          モーター
５ａ，５ｂ，５ｃ、４５ａ，４５ｂ，４５ｃ          固体光源
１１、３１、５１、７１、７６、７８          基板
１２、５２、７７          光学手段（バンドパスフィルター）
１０、３０、３５、５０、７０、７５        光源装置
８２、８４        ケース
８３        レンズ系
８５        ズームレンズ系
【図１】
0005523876.tif 000002
【図２】
0005523876.tif 000003
【図３】
0005523876.tif 000004
【図４】
0005523876.tif 000005
【図５】
0005523876.tif 000006
【図６】
0005523876.tif 000007
【図７】
0005523876.tif 000008
【図８】
0005523876.tif 000009
【図９】
0005523876.tif 000010
【図１０】
0005523876.tif 000011
【図１１】
0005523876.tif 000012
【図１２】
0005523876.tif 000013
【図１３】
0005523876.tif 000014
【図１４】
0005523876.tif 000015
【図１５】
0005523876.tif 000016
【図１６】
0005523876.tif 000017
【図１７】
0005523876.tif 000018
【図１８】
0005523876.tif 000019
【図１９】
0005523876.tif 000020
【図２０】
0005523876.tif 000021
【図２１】
0005523876.tif 000022
【図２２】
0005523876.tif 000023
【図２３】
0005523876.tif 000024
【図２４】
0005523876.tif 000025
【図２５】
0005523876.tif 000026
【図２６】
0005523876.tif 000027
【図２７】
0005523876.tif 000028
【図２８】
0005523876.tif 000029
【図２９】
0005523876.tif 000030
【図３０】
0005523876.tif 000031
【図３１】
0005523876.tif 000032